(57)【要約】      （修正有）【課題】ポップコーンの商品移送便利性を高めるポップコーン販売機の商品移送及びマイクロ波システムを提供する。【解決手段】貯蔵ラック１０、移送装置２０とマイクロ波加熱装置３０を含む。そのうち、貯蔵ラックは加熱調理前包装体のストック置きとして提供され、貯蔵ラック下側には開口１１を設置し、開口は加熱調理前包装体が通り抜けるために用いられる。移送装置は貯蔵ラックの下方に枢設し、移送装置は加熱調理前包装体を貯蔵ラックから押し出し、マイクロ波加熱装置の中へ移送するのに用いる。マイクロ波加熱装置は、貯蔵ラックの傍に設置し、マイクロ波加熱器３２を備え、マイクロ波加熱器の貯蔵ラックに対応する一側には側門を設置し、且つ該マイクロ波加熱器の底側は開放状で形成する。マイクロ波加熱器の側門に対応する箇所には側門開閉装置を設置し、マイクロ波加熱器の下方は下蓋板３５を枢設して蓋閉じし、下蓋板は駆動部品３６を接合し、下蓋板は駆動部品によって動く。【選択図】図１
0003217672.tif 000002
【実用新案登録請求の範囲】
【請求項１】
主に貯蔵ラック、移送装置とマイクロ波加熱装置を含むポップコーン販売機の商品移送及びマイクロ波システムにおいて、そのうち、
加熱調理前包装体のストック置きとして提供され、貯蔵ラック下側には開口を設置し、該開口は加熱調理前包装体が通り抜けるために用いられ、また該貯蔵ラック底側には長方形切欠き口を設置し、該長方形切欠き口は開放端を形成し、該開放端は開口下方に対応設置する貯蔵ラックと、
貯蔵ラックの下方に枢設し、該移送装置は加熱調理前包装体を貯蔵ラックから押し出し、マイクロ波加熱装置の中へ移送するのに用いる移送装置と、
貯蔵ラックの傍に設置し、支持台を含み、支持台上にはマイクロ波加熱器を設置し、マイクロ波加熱器の貯蔵ラックに対応する一側には側門を設置し、且つ該マイクロ波加熱器の底側は開放状で形成し、該マイクロ波加熱器の側門に対応する箇所には側門開閉装置を設置し、該側門開閉装置は側門を開放もしくは閉鎖し、該支持台は軸桿で下蓋板を枢設し、該下蓋板はマイクロ波加熱器の底側でちょうど蓋閉じし、且つ該支持台は駆動部品を枢設し、該駆動部品の駆動端は下蓋板と枢設して結合し、下蓋板が駆動部品の動きによって軸桿を支点して動くマイクロ波加熱装置を含むことを特徴とするポップコーン販売機の商品移送及びマイクロ波システム。
【請求項２】
前記貯蔵ラックは、回転式の貯蔵ラックであり、それは複数個の貯蔵槽を備え、各貯蔵槽の下側にはすべて開口を設置し、該開口は加熱調理前包装体が通り抜けるために用いられ、また該貯蔵ラック底側には長方形切欠き口を設置し、該長方形切欠き口は開放端を形成し、該開放端は開口下方に対応設置することを特徴とする請求項１記載のポップコーン販売機の商品移送及びマイクロ波システム。
【請求項３】
前記移送装置は、固定台を含み、固定台上にはスライド台を設置し、スライド台下方にはラックギアを設置し、固定台上には駆動モーターを設置し、駆動モーターはギアを枢設し、該ギアはラックギアと噛み合い、駆動モーターによってギアを回転させ、他に該ギアはラックギアを前、後移動させ、更に同時にスライド台と固定台を前、後移動させ、他に該スライド台上では回転支点に於いてスライド板を枢設し、スライド板とスライド台の間にはバネを設置し、スライド板をバネの押止で直立させ、スライド板が力を受けた時、回転支点が中心点として下向きに回転することを特徴とする請求項１または２記載のポップコーン販売機の商品移送及びマイクロ波システム。
【請求項４】
前記側門開閉装置は、二本の案内桿を含み、該二本の案内桿はマイクロ波加熱器の側門に相対する一側に設置し、二本の案内桿の間に門板を設置し、門板は二本の案内桿の間で上下に動き、該門板にはラックギアを設置し、該側門開閉装置は更に駆動モーターを含み、駆動モーターはマイクロ波加熱器上に設置し、駆動モーターはドライブギアを枢設し、該ドライブギアは門板上に設置したラックギアと噛み合い、駆動モーターによってドライブギアが回転され、該ドライブギアが門板を動かしてラックギアを上、下移動させ、更に同時に門板を上、下移動させることを特徴とする請求項１、２または３記載のポップコーン販売機の商品移送及びマイクロ波システム。
【考案の詳細な説明】
【技術分野】
【０００１】
本考案は、ポップコーン販売機の商品移送及びマイクロ波システムに関するもので、ポップコーン商品の移送便利性を高めるマイクロ波ポップコーン製造機の移送及びマイクロ波システムに係る。
【背景技術】
【０００２】
自動販売機は、購入が便利で且つスピーディであり、更に人件費を節約するという長所がある。そのため、現在、自動販売機は多くの場所で設置され、特に遊園地、公園、動物園、会社商店、政府機関、交通機関の駅スポット、デパートやマーケット、博物館、美術館、小売商店…等人が多く集まる場所では更に機能を発揮し、人々に購入の便利性を提供している。また自動販売機が販売する商品はドリンク、ビスケット、インスタントラーメン、新聞…等から徐々に拡大し、果物、花、パンやケーキ、生ビールにまで広がり、
【０００３】
更に自動販売機に加熱装置が設置されることで、ホットコーヒー、ラーメン、ポップコーン、冷凍マイクロ波加熱食品（例として、たこ焼き、鯛焼き、焼きそば、ハンバーガー、ピザ…等）も販売できるようになった。現在、自動販売機の商品は更に多様化し、人々の要求に応えており、正に高い経済効果と販売モジュールを備える。
【０００４】
ポップコーンの自動販売機について、例として、先行技術文献１に示すとおり、複数の加熱調理前包装体をストック槽内に重畳設置する。該押出機構は最下段の加熱調理前包装体をマイクロ波加熱調理器上方に設置した蓋体上へ押し出し、その後マイクロ波加熱調理器上端に設置した移送装置が加熱調理前包装体を吸入して落とす。続いて該移送装置と加熱調理前包装体が上昇し、マイクロ波加熱調理器の蓋体を開く。該移送装置と加熱調理前包装体が下がり、加熱調理前包装体をマイクロ波加熱調理器の中に落とし、次に蓋体が閉じると、加熱調理前包装体に対してマイクロ波加熱を実施する。加熱が完了すると、蓋体が開き、移送装置が加熱完了後のポップコーンを吸入しマイクロ波加熱調理器から取り出す。そして蓋体が閉じると、移送装置は再びポップコーンを蓋体上に置き、蓋体を傾け、ポップコーンをポップコーン製造機機の取出口へ滑り落とし、人が取り出せるようにする。
【先行技術文献】
【特許文献】
【０００５】
【特許文献１】台湾  発明第０９５１２１３７０号「加熱食材用自動販売機」
【考案の概要】
【考案が解決しようとする課題】
【０００６】
解決しようとする問題点は、上述の加熱食材用自動販売機は、ポップコーンのストック、販売、加熱の便利性を備えるが、移送装置で動加熱調理前包装体を吸入、吊掛移動を繰り返していると、装置、設備の複雑度が高まるだけでなく、更に移送装置の破損が起こりやすくなる。その他、マイクロ波加熱調理器上方に設置した蓋体は反復開閉によって使用寿命が短くなりやすい点である。
【課題を解決するための手段】
【０００７】
本考案は、貯蔵ラック、移送装置とマイクロ波加熱装置を含む。そのうち、該貯蔵ラックは加熱調理前包装体のストック置きとして提供され、貯蔵ラック下側には開口を設置し、該開口は加熱調理前包装体が通り抜けるために用いられる。該移送装置は貯蔵ラックの下方に枢設し、該移送装置は加熱調理前包装体を貯蔵ラックから押し出し、マイクロ波加熱装置の中へ移送するのに用いる。該マイクロ波加熱装置貯蔵ラックの傍に設置し、マイクロ波加熱器を備え、マイクロ波加熱器の貯蔵ラックに対応する一側には側門を設置し、且つ該マイクロ波加熱器の底側は開放状で形成する。該マイクロ波加熱器の側門に対応する箇所には側門開閉装置を設置し、マイクロ波加熱器の下方は下蓋板を枢設して蓋閉じし、該下蓋板は駆動部品を接合し、下蓋板は駆動部品によって動くことを最も主要な特徴とする。
【考案の効果】
【０００８】
本考案のポップコーン販売機の商品移送及びマイクロ波システムは、以下の利点がある。
【０００９】
一つ目として、本考案のマイクロ波加熱器３２の貯蔵ラック１０に対応する一側には側門３２１を設置し、且つ該側門３２１には側門開閉装置３３を設置して開閉を行う。拠って加熱調理前包装体５０を該側門３２１からマイクロ波加熱器３２の中へ入れることができ、且つマイクロ波が外に漏れるのを防止することで使用上の便利性と安全性を備える。
【００１０】
二つ目として、本考案の貯蔵ラック１０下方には移送装置２０を設置し、それは最下方の加熱調理前包装体５０を直接マイクロ波加熱器３２の側門３２１へ押し出し、加熱調理前包装体５０を側門３２１からマイクロ波加熱器３２の中へ落とし入れるため、移送上の便利性と迅速性を備える。
【００１１】
三つ目として、本考案のマイクロ波加熱器３２の底端に開放端を形成し、更に下蓋板３５を設置する。該下蓋板３５はマイクロ波加熱器３２の底面とする他に、駆動部品３６が動くことで傾斜状に回転し、
加熱完了のポップコーンを取出口４１に落として取り出せるようにすることで、作業上の便利性、安全性と迅速性を備える。
【００１２】
四つ目として、本考案は移送装置２０で加熱調理前包装体５０を直接マイクロ波加熱器３２の中に押入れ、次にマイクロ波加熱器３２下方の下蓋板３５を開け、すると加熱完了した加熱調理前包装体を袋内に落とす。本考案は真空吸引装置を設置する必要がなく、熱調理前包装体５０の媒体を移動できる。拠って本考案は空間を節約できる他に、更に装置の反復開閉によって破損事故が起こるのを防止する。
【図面の簡単な説明】
【００１３】
【図１】本考案の立体指示図である。
【図２】本考案の設置した貯蔵ラックと移送装置の立体分解図である。
【図３】本考案の移送装置の立体指示図である。
【図４】本考案のマイクロ波加熱装置の立体分解図である。
【図５】本考案別一角度のマイクロ波加熱装置の立体分解図である。
【図６】本考案のマイクロ波加熱装置の立体組合図である。
【図７】本考案のポップコーン製造機に設置した指示図である。
【図８】本考案の断面指示図である。
【図９】本考案のマイクロ波加熱装置の側視図で側門開閉装置が上向きに移動し、マイクロ波加熱器に設置された側門を開けた指示図である。
【図１０】本考案の断面図で側門開閉装置を上向きに移動し、開?マイクロ波加熱器に設置した側門を開けた指示図一である。
【図１１】本考案の断面図で側門開閉装置を上向きに移動し、マイクロ波加熱器に設置した側門を開けた指示図二である。
【図１２】本考案の断面図で加熱調理前包装体を下蓋板に落とし、該側門開閉装置を下向きに移動して側門を閉じ、且つ移送装置は後ろ向きに移動して復位する指示図である。
【図１３】本考案の側視図で下蓋板を下向きに動かして傾け且つ加熱調理済み包装袋を取出口に落とす指示図〜である。
【考案を実施するための形態】
【００１４】
上述の加熱食材用自動販売機の欠点を改善し、ポップコーン商品の移送便利性を高めるマイクロ波ポップコーン製造機の移送及びマイクロ波システムを提供することを本考案の目的とする。
【００１５】
上述の目的を達成するため、本考案の移送及びマイクロ波システムは、貯蔵ラック、移送装置とマイクロ波加熱装置を含む。そのうち、
【００１６】
貯蔵ラックは、加熱調理前包装体のストック置きとして提供され、貯蔵ラック下側には開口を設置し、該開口は加熱調理前包装体が通り抜けるために用いられる。また該貯蔵ラック底側には長方形切欠き口を設置し、該長方形切欠き口は開放端を形成する。該開放端は開口下方に対応設置する。
【００１７】
移送装置は、貯蔵ラックの下方に枢設し、該移送装置は加熱調理前包装体を貯蔵ラックから押し出し、マイクロ波加熱装置の中へ移送するのに用いる。
【００１８】
マイクロ波加熱装置は、貯蔵ラックの傍に設置し、支持台を含む。支持台上にはマイクロ波加熱器を設置し、マイクロ波加熱器の貯蔵ラックに対応する一側には側門を設置し、且つ該マイクロ波加熱器の底側は開放状で形成する。該マイクロ波加熱器の側門に対応する箇所には側門開閉装置を設置し、該側門開閉装置は側門を開放もしくは閉鎖する。該支持台は軸桿で下蓋板を枢設し、該下蓋板はマイクロ波加熱器の底側でちょうど蓋閉じし、且つ該支持台は駆動部品を枢設する。該駆動部品の駆動端は下蓋板と枢設して結合し、下蓋板が駆動部品の動きによって軸桿を支点して動く。
【００１９】
これらによって、ポップコーン商品の移送便利性を高めるマイクロ波ポップコーン製造機の移送及びマイクロ波システムを提供する。
【実施例】
【００２０】
本考案に関し、目的を達成するために運用する技術手段及びその構造は、図１から図１３に示す実施例を挙げて以下に詳細に説明する。
【００２１】
図１に示すとおり、実施例中の移送及びマイクロ波システムは、貯蔵ラック１０、移送装置２０とマイクロ波加熱装置３０を含む。そのうち、貯蔵ラック１０（図２、７、８参照）は、加熱調理前包装体５０のストック置きとして提供され、貯蔵ラック１０下側には開口１１を設置し、該開口１１は加熱調理前包装体が通り抜けるために用いられる。また該貯蔵ラック１０底側には長方形切欠き口１２を設置し、該長方形切欠き口１２の前方には開放端が形成される。
【００２２】
図１、２に示すとおり、該貯蔵ラック１０は回転式の貯蔵ラック１０でもよく、それは複数個の貯蔵槽１０１を備える。各貯蔵槽１０１の下側にはすべて開口１１を設置し、該開口１１は加熱調理前包装体５０が通り抜けるために用いられる。また該貯蔵ラック１０底側には長方形切欠き口１２を設置し、該長方形切欠き口１２は開放端１２１を形成し、該開放端１２１は開口１１下方に対応設置する。
【００２３】
移送装置２０（図２、３、８参照）は貯蔵ラック１０の下方に枢設し、該移送装置２０は加熱調理前包装体５０を貯蔵ラック１０から押し出し、マイクロ波加熱装置３０の中へ移送するのに用いる。
【００２４】
図２、３に示すとおり、該移送装置２０は固定台２１を含み、固定台２１上にはスライド台２２を設置し、スライド台２２下方にはラックギア２３を設置する。固定台２１上には駆動モーター２４を設置し、駆動モーター２４はギア２５を枢設する。該ギア２５はラックギア２３と噛み合い、駆動モーター２４によってギア２５を回転させ、他に該ギア２５はラックギア２３を前、後移動させ、更に同時にスライド台２２と固定台２１を前、後移動させる。別に該スライド台２２上では回転支点２２１に於いてスライド板２６を枢設し、スライド板２６とスライド台２２の間にはバネ２７を設置し、スライド板２６をバネ２７の押止で直立させ、スライド板２６が力を受けた時回転支点２２１が中心点として下向きに回転する。
【００２５】
マイクロ波加熱装置３０（図４、５、６、７、８参照）は、貯蔵ラック１０の傍に設置し、支持台３１を含む。支持台３０上にはマイクロ波加熱器３２を設置し、マイクロ波加熱器３２の貯蔵ラック１０に対応する一側には側門３２１を設置し、且つ該マイクロ波加熱器３２の底側は開放状で形成する。該マイクロ波加熱器３２の側門３２１に対応する箇所には側門開閉装置３３を設置し、該側門開閉装置３３は側門３２１を開放もしくは閉鎖する。該支持台３０は軸桿３４で下蓋板３５を枢設し、該下蓋板３５はマイクロ波加熱器３２の底側でちょうど蓋閉じし、且つ該支持台３１は駆動部品３６を枢設する。該駆動部品３６の駆動端３６１は下蓋板３５と枢設して結合し、下蓋板３５が駆動部品３６の動きによって軸桿３４を支点して動く。
【００２６】
図４、５、６、８に示すとおり、該側門開閉装置３３は二本の案内桿３３１を含み、該二本の案内桿３３１はマイクロ波加熱器３２の側門３２１に相対する一側に設置する。二本の案内桿３３１の間に門板３３２を設置し、門板３３２は二本の案内桿３３１の間で上下に動き、該門板３３２にはラックギア３３３を設置する。該側門開閉装置３３は更に駆動モーター３３４を含み、駆動モーター３３４はマイクロ波加熱器３２上に設置し、駆動モーター３３４はドライブギア３３５を枢設し、該ドライブギア３３５は門板３３２上に設置したラックギア３３３と噛み合う。動モーター３３４によってドライブギア３３５が回転され、該ドライブギア３３５が門板３３２を動かしてラックギア３３３を上、下移動させ、更に同時に門板３３２を上、下移動させる。
【００２７】
上述構造により、図７に示すとおり、本考案をポップコーン製造機４０上に設置する。該ポップコーン製造機４０前側のマイクロ波加熱装置３０に相対して設置する駆動部品３６下方に取出口４１を設置する。業者は複数の加熱調理前包装体５０を貯蔵ラック１０の中に重畳して設置する。この時、該移送装置２０のスライド台２２はちょうど貯蔵ラック１０下方に位置し、且つ該スライド板２６は貯蔵ラック１０の停止を受け下向きに水平状に回転して折曲し、且つ該マイクロ波加熱装置３０の下蓋板３５はマイクロ波加熱器３２の底端に蓋設置、閉合する（例として図８参照）。消費者は購入後、該マイクロ波加熱装置３０の側門開閉装置３３は駆動モーター３３４を動かしてドライブギア３３５回転させ、門板３３２に設置したラックギア３３３を上向きに移動させる。門板３３２は案内桿３３１の同時上向き移動に従い、マイクロ波加熱器３２の側門３２１を開いて露出させる（例として図８、９参照）。その後、該貯蔵ラック１０下側に設置した移送装置２０は駆動モーター２４を動かしてギア２５を回転させ、ラックギア２３を前向きに移動させ、更に同時にスライド台２２と固定台２１を前向きに移動させる。スライド板２６が貯蔵ラック１０の長方形切欠き口１２下方へ到達した時、該スライド板２６はバネ２７の押しを受けて直立状（例として図１０参照）に回転させ、該スライド板２６は最下端の加熱調理前包装体５０を押して前向きに移動させ、加熱調理前包装体５０をマイクロ波加熱器３２の側門３２１からマイクロ波加熱器３２内に移送し、下蓋板３５上に落とす（例として図１１、１２参照）。
【００２８】
続いて、該移送装置２０は駆動モーター２４がギア２５を回転させ、ラックギア２３を後ろ向きに移動させ、同時にスライド台２２と固定台２１を後ろ向きに移動させて復位させる。またスライド台２２上に設置したスライド板２６は貯蔵ラック１０の停止を受けて下向きに回転して折曲し、同時に該マイクロ波加熱装置３０の側門開閉装置３３は駆動モーター３３４がドライブギア３３５を回転させ、門板３３２に設置したラックギア３３３を下向きに移動させ、門板３３２は案内桿３３１の同時下向き移動に従い、マイクロ波加熱器３２の側門３２１を閉じる（例として図１２参照）。その後、該マイクロ波加熱器３２はその内部の加熱調理前包装体５０に対してマイクロ波加熱を実施し、加熱調理前包装体５０の内部に納置されたポップコーン豆が熱を受けてップコーンになり、且つ加熱調理前包装体５０は膨張して加熱調理済み包装袋５１が形成される。
【００２９】
加熱調理後、該マイクロ波加熱装置３０の駆動部品３６は下蓋板３５を動かして軸桿３４を支点として下向きに動き、下蓋板３５を傾斜状にし、該加熱調理済み包装袋５１は下向きに滑り落ち、該加熱調理済み包装袋５１をポップコーン製造機４０の取出口４１に落とす（例として図１３参照）。そして駆動部品３６は下蓋板３５を動かし軸桿３４を支点として上向きに動かし、下蓋板３５を再びマイクロ波加熱器３２底側で蓋閉じ（例として図８参照）、消費者は取出口から加熱調理済み包装袋５１を取り出してポップコーンを食べる。
【００３０】
上述のとおり、本考案の実施方式において、該移送装置２０は駆動モーター２４、ギア２５をスライド板２６６の駆動方式とする。該側門開閉装置３３は駆動モーター３３４、ドライブギア３３５を門板３３２の駆動方式とする。しかしながら、該移送装置２０と側門開閉装置３３は、気（油）圧シリンダ、ベルト、チェーン、…等装置を動力出力として用いてもよく、スライド板２６６、門板３３２をスムーズに前後、上下移動できる。
【００３１】
故に本考案は、ポップコーン商品の移送便利性を高めるマイクロ波ポップコーン製造機の移送及びマイクロ波システムを提供する。本考案は、従前の技術と比較して、確かに明らかな進歩性を備え、且つその構造は未見であり、実用新案申請の要件に符合する。
【００３２】
本考案の実施可能な実施例に於いて、該実施例は本考案の達成する目的のための技術手段及びその構造を説明するだけのものであるため、本考案の請求範囲を制限しない。拠って、本考案の明細書及び請求範囲は同効果の変化もしくは就職はすべて本考案の請求範囲に含むものとする。
【符号の説明】
【００３３】
１０        貯蔵ラック
１０１        貯蔵槽
１１        開口
１２        長方形切欠き口
２０        移送装置
２１        固定台 
２２        スライド台
２２１        回転支点
２３        ラックギア
２４        駆動モーター
２５        ギア
２６        スライド板
２７        バネ
３０        マイクロ波加熱装置
３１        支持台
３２        マイクロ波加熱器
３２１        側門
３３        側門開閉装置
３３１        案内桿
３３２        門板
３３３        ラックギア
３３４        駆動モーター
３３５        ドライブギア
３４        軸桿
３５        下蓋板
３６        駆動部品
３６１        駆動端
４０        ポップコーン製造機
４１        取出口
５０        加熱調理前包装体
５１        加熱調理済み包装袋
【図１】
0003217672.tif 000003
【図２】
0003217672.tif 000004
【図３】
0003217672.tif 000005
【図４】
0003217672.tif 000006
【図５】
0003217672.tif 000007
【図６】
0003217672.tif 000008
【図７】
0003217672.tif 000009
【図８】
0003217672.tif 000010
【図９】
0003217672.tif 000011
【図１０】
0003217672.tif 000012
【図１１】
0003217672.tif 000013
【図１２】
0003217672.tif 000014
【図１３】
0003217672.tif 000015